(57)【要約】【課題】より確実に配線ボックス用カバーまたは配線ボックスの器具取付部の変形を防止すると共に、使用後に廃棄物の出ることのない変形防止具を提供する。【解決手段】コンクリート壁に埋設されて使用される配線ボックス用カバーまたは配線ボックスの変形防止具５であって、器具取付部の背面側に位置して、該器具取付部への取着に用いられる一対の取着部１と、前記取着部１に連設され、該器具取付部の対面部分に当接する一対の当接部２と、前記当接部２を連結し、該圧縮力を支える支持部３とを備えた。【選択図】図１
2006320097.tif 000002
【特許請求の範囲】
【請求項１】
コンクリート壁に埋設されて使用される配線ボックス用カバーまたは配線ボックスの変形防止具であって、
該配線ボックス用カバーまたは配線ボックスの一対の器具取付部の相互間に掛け渡され、コンクリート打設により該器具取付部相互間に作用し得る圧縮力に抗し得る強度を備え、該打設によっても該器具取付部から脱落しないように着脱可能に取付されることを特徴とする変形防止具。
【請求項２】
前記器具取付部の背面側に位置して、該器具取付部への取着に用いられる一対の取着部と、前記取着部に連設され、該器具取付部の対面部分に当接する一対の当接部と、前記当接部を連結し、該圧縮力を支える支持部とを備えたことを特徴とする請求項１記載の変形防止具。
【請求項３】
前記取着部に前記器具取付部に設けられた取付穴に嵌合する嵌合突起が備えられていることを特徴とする請求項２記載の変形防止具。
【請求項４】
前記取着部に前記器具取付部に挿通されるビスが螺合する雌ねじ部が備えられていることを特徴とする請求項２記載の変形防止具。
【請求項５】
前記器具取付部の表面側に当接し、前記配線ボックス用カバーまたは配線ボックスの使用に支障のない厚さとされ、該器具取付部への取着に用いられる一対の取着部と、該器具取付部の表面側対面部分に当接する当接部と、前記取着部と前記当接部とを連結し、該圧縮力を支える支持部とを備えたことを特徴とする請求項１記載の変形防止具。
【請求項６】
前記取着部に、前記器具取付部に挿通されるビスが挿通されるビス孔が備えられていることを特徴とする請求項５記載の変形防止具。
【請求項７】
前記一対の当接部により、前記器具取付部間に嵌合して取付けられることを特徴とする請求項２または５記載の変形防止具。
【請求項８】
前記支持部に、前記配線ボックス用カバーまたは配線ボックスの前面をコンクリート型枠に引き寄せるためのボルトが挿通される挿通孔が形成されていることを特徴とする請求項２から７のいずれか記載の変形防止具。
【請求項９】
前記支持部に、前記配線ボックス用カバーまたは配線ボックスの前面に立て掛けられるコンクリート型枠に該変形防止具を固定するための釘挿入部が備えられていることを特徴とする請求項２から８のいずれか記載の変形防止具。
【請求項１０】
前記器具取付部の表面側から取付可能に構成された請求項１から９のいずれか記載の変形防止具。
【発明の詳細な説明】
【技術分野】
【０００１】
本発明は、コンクリート壁に埋設されて使用される配線ボックス用カバーまたは配線ボックスが、打設されるコンクリートにより圧迫されて変形し、後に、その器具取付部に器具を取り付けようとする際に取付ができない、といったことを防止する変形防止具に関する。
【背景技術】
【０００２】
コンクリート打設による変形防止を考慮した配線ボックス用カバーとしては、特許文献１に記載されたものが提案されている。
【０００３】
図６は、この配線ボックス用カバーを示すもので、（ａ）はその正面図、（ｂ）は（ａ）のＹＹ断面図である。
【０００４】
この配線ボックス用カバー１０は、更に壁奥に収容される配線ボックスに当接する枠状体１１、この枠状体１１の内縁部から壁表面方向に立ち上がる塗代壁１３、この塗代壁１３の内方への突起として、上下一対に複数対設けられた器具取付部１４、これらの器具取付部１４の間に適宜、対面する塗代壁１３を連結して、コンクリート打設による圧縮力を支持する板状の支持体２０が設けられている。
【０００５】
支持体２０は、この支持体２０と塗代壁１３とを部分的に連結する連結部２１、この支持体２０の図の上下方向の圧縮力への強度を増すために設けられたリブ２２とを備えている。
【０００６】
この配線ボックス用カバー１０は、コンクリート打設時には支持体２０を付けたままで用いられるので、この部分が打設されるコンクリートにより圧迫されても変形しにくく、したがって、打設後、器具を取り付けようとする際に取付ができない、といったことを防止することができるものである。
【０００７】
なお、打設後器具を取り付ける際には、支持体２０は、連結部２１で塗代壁１３に部分的に連結されているだけなので、現場で簡単に取り外すことができ、器具の取付の支障にはならない。
【０００８】
しかし、この配線ボックス用カバー１０の支持体２０は、器具を取り付けようとする器具取付部１４の部分を直接支持するものではなく、更なる改善が望まれていた。また、この支持体２０は、カバー１０に一体化され、使用後は廃棄されるので、その観点からも改善が望まれていた。
【０００９】
また、同様の問題は、配線ボックスにも共通するものであった。
【特許文献１】特開平９−１４９５２６号公報（図１）
【発明の開示】
【発明が解決しようとする課題】
【００１０】
本発明は、上記の問題を解決しようとするものであり、より確実に配線ボックス用カバーまたは配線ボックスの器具取付部の変形を防止すると共に、使用後に廃棄物の出ることのない変形防止具を提供することを目的とする。
【課題を解決するための手段】
【００１１】
請求項１に記載の変形防止具は、コンクリート壁に埋設されて使用される配線ボックス用カバーまたは配線ボックスの変形防止具であって、
該配線ボックス用カバーまたは配線ボックスの一対の器具取付部相互間に掛け渡され、コンクリート打設により該器具取付部相互間に作用し得る圧縮力に抗し得る強度を持ち、該打設によっても該器具取付部から脱落しないように、かつ、着脱可能に取付されるように構成されたことを特徴とする。
【００１２】
請求項２記載の変形防止具は、請求項１に従属し、前記器具取付部の背面側に位置して、該器具取付部への取着に用いられる一対の取着部と、前記取着部に連設され、該器具取付部の対面部分に当接する一対の当接部と、前記当接部を連結し、該圧縮力を支える支持部とを備えたことを特徴とする。
【００１３】
請求項３に記載の変形防止具は、請求項２に従属し、前記取着部に前記器具取付部に設けられた取付穴に嵌合する嵌合突起が備えられていることを特徴とする。
【００１４】
請求項４に記載の変形防止具は、請求項２に従属し、前記取着部に前記器具取付部に挿通されるビスが螺合する雌ねじ部が備えられていることを特徴とする。
【００１５】
請求項５記載の変形防止具は、請求項１に従属し、前記器具取付部の表面側に当接し、前記配線ボックス用カバーまたは配線ボックスの使用に支障のない厚さとされ、該器具取付部への取着に用いられる一対の取着部と、該器具取付部の表面側対面部分に当接する当接部と、前記取着部と前記当接部とを連結し、該圧縮力を支える支持部とを備えたことを特徴とする。
【００１６】
請求項６記載の変形防止具は、請求項５に従属し、前記取着部に、前記器具取付部に挿通されるビスが挿通されるビス孔が備えられていることを特徴とする。
【００１７】
請求項７記載の変形防止具は、請求項２または５に従属し、前記一対の当接部により、前記器具取付部間に嵌合して取付けられることを特徴とする。
【００１８】
請求項８記載の変形防止具は、請求項２から７のいずれかに従属し、前記支持部に、前記配線ボックス用カバーまたは配線ボックスの前面をコンクリート型枠に引き寄せるためのボルトが挿通される挿通孔が形成されていることを特徴とする。
【００１９】
請求項９記載の変形防止具は、請求項２から８のいずれかに従属し、前記支持部に、前記配線ボックス用カバーまたは配線ボックスの前面に立て掛けられるコンクリート型枠に該変形防止具を固定するための釘挿入部が備えられていることを特徴とする。
【００２０】
請求項１０記載の変形防止具は、請求項１から９のいずれかに従属し、前記器具取付部の表面側から取付可能に構成されたことを特徴とする。
【発明の効果】
【００２１】
請求項１に記載の変形防止具によれば、コンクリート壁に埋設されて使用される配線ボックス用カバーまたは配線ボックスの変形防止具であって、該配線ボックス用カバーまたは配線ボックスの一対の器具取付部相互間に掛け渡され、コンクリート打設により該器具取付部相互間に作用し得る圧縮力に抗し得る強度を持ち、該打設によっても該器具取付部から脱落しないように、かつ、着脱可能に取付されるように構成されたので、特に変形防止の必要な器具取付部の変形を直接有効に防止することができる。また、繰り返し使用が可能で、廃棄物を生じさせない。
【００２２】
請求項２記載の変形防止具によれば、請求項１の効果に加え、該器具取付部の背面への取着に用いられ脱落を防止する取着部と、該器具取付部の対面部分に当接する一対の当接部と相俟ってコンクリート打設による圧縮力を支える支持部とを具体的に規定したので、請求項１の効果をより確実に発揮することができる。
【００２３】
請求項３に記載の変形防止具によれば、請求項２の効果に加え、前記取着部に前記器具取付部に設けられた取付穴に嵌合する嵌合突起が備えられているので、この嵌合突起と器具取付部との嵌合により、コンクリート打設による振動があっても、変形防止具が配線ボックス用カバーまたは配線ボックスから脱落しない。
【００２４】
請求項４に記載の変形防止具によれば、請求項２の効果に加え、前記取着部に前記器具取付部に挿通されるビスが螺合する雌ねじ部が備えられているので、この雌ねじ部と前記ビスとのネジ係合により、コンクリート打設による振動があっても、変形防止具が配線ボックス用カバーまたは配線ボックスから脱落しない。
【００２５】
請求項５記載の変形防止具によれば、請求項１の効果に加え、該器具取付部の表面への取着に用いられ脱落を防止する取着部と、該器具取付部の対面部分に当接する一対の当接部と相俟ってコンクリート打設による圧縮力を支える支持部とを具体的に規定したので、請求項１の効果をより確実に発揮することができる。
【００２６】
また、この変形防止具によれば、その表面側への出っ張りは支障となるものではなく、
また、表面側の操作で取着できるので、取着が容易である。
【００２７】
請求項６記載の変形防止具によれば、請求項５の効果に加え、前記取着部に、前記器具取付部に挿通されるビスが挿通されるビス孔が備えられ、これらのビスとビス孔によって、取着が完全に行われるので、打設振動の影響をほとんど受けない。
【００２８】
請求項７記載の変形防止具によれば、請求項２または５の効果に加え、前記一対の当接部により、前記器具取付部間に嵌合して取付けられ、これによりコンクリート打設による振動があっても、変形防止具が配線ボックス用カバーまたは配線ボックスから脱落しない。
【００２９】
請求項８記載の変形防止具によれば、請求項２から７のいずれかの効果に加え、前記支持部に、前記配線ボックス用カバーまたは配線ボックスの前面をコンクリート型枠に引き寄せるためのボルトが挿通される挿通孔が形成されているので、このボルト挿通のために変形防止具を取り外す必要がなく便利である。
【００３０】
請求項９記載の変形防止具によれば、請求項２から８のいずれかの効果に加え、前記支持部に、前記配線ボックス用カバーまたは配線ボックスの前面に立て掛けられるコンクリート型枠に該変形防止具を固定するための釘挿入部が備えられているので、この変形防止具によっても、配線ボックス用カバーまたは配線ボックスをコンクリート型枠に位置決めすることができる。
【００３１】
請求項１０記載の変形防止具によれば、請求項１から９のいずれかの効果に加え、前記器具取付部の表面側から取付可能に構成されたので、現場での変形防止具の配線ボックス用カバーまたは配線ボックスへの取着が容易である。
【発明を実施するための最良の形態】
【００３２】
以下に、本発明の実施の形態（実施例）について、図面を用いて説明する。
【実施例１】
【００３３】
図１は、本発明の変形防止具の一例を示すもので、（ａ）はその正面図、（ｂ）は側面図、図２は、図１の変形防止具の使用状態を示すもので、（ａ）はその変形防止具を設置した部分の要部断面図、（ｂ）は正面図である。
【００３４】
この変形防止具５は、コンクリート壁に埋設されて使用される配線ボックス用カバーあるいは配線ボックスが、打設されるコンクリートにより圧迫されて変形するのを防止するために、配線ボックス用カバーなどの器具取付部に取り付けて用いるものである。
【００３５】
なお、以下では、変形防止具５を図２に示すように配線ボックス用カバーＫ（図２参照。）に用いる場合について説明するが、この配線ボックス用カバーＫは、一般に配線ボックスとセットで全体として配線ボックスとして用いられるものであるので、変形防止具５は、配線ボックスの変形防止用としても用いることができる。
【００３６】
変形防止具５は、剛性の高い材料、好適には鋼鉄の平板で製造され、全体としては、この平板を長手方向に引出の取手状の形状に屈曲させた形状となっている。
【００３７】
その取手形状の変形防止具５の一対の両端部分は、取付対象である配線ボックス用カバーＫの器具取付部ＫＡの背面側に位置して、該器具取付部ＫＡへの取着に用いられる一対の取着部１となっており、この取着部１に連設され、該器具取付部ＫＡの対面部分に当接する一対の当接部２と、この一対の当接部２を連結し、コンクリート打設により該器具取付部ＫＡ相互間に作用し得る圧縮力を支える支持部３とが備えられている。
【００３８】
この支持部３で支持された一対の当接部２が、後述するように、配線ボックス用カバーＫの一対の器具取付部ＫＡに当接し隙間無く填まり込んで、この器具取付部ＫＡ間の間隔が所定範囲となるように規制して、変形防止の役割を果たしている。
【００３９】
一対の取着部１には、この変形防止具５を組み付けた配線ボックス用カバーＫの器具取付部ＫＡに挿通されるビスＢ（図２参照。）が螺合する雌ネジ部１ａが設けられている。
【００４０】
支持部３の中心部には、配線ボックスの底壁に形成された雌ネジに螺合して、配線ボックス用カバーの前面をコンクリート型枠に引き寄せるためのボルトが挿通される挿通孔３ａが設けられているので、この変形防止具５が配線ボックス用カバーを引き寄せるためのボルトを挿通する場合の支障になることがない。
【００４１】
また、支持部３の適所には、配線ボックス用カバーの前面に立て掛けられるコンクリート型枠に変形防止具５を固定するための釘挿入部３ｂが設けられているので、この釘挿入部３ｂを用いて、この変形防止具５を備えた配線ボックス用カバーをコンクリート型枠に位置決め固定することができる。
【００４２】
支持部３と当接部２との間の屈曲部には、この屈曲加工と同時に意図的に補強凹所３ｃ
が形成されている。この補強凹所３ｃは、この屈曲部の角度保持に貢献し、コンクリート打設により配線ボックス用カバーＫの器具取付部ＫＡから当接部２に作用する圧縮力を、支持部３でより強力に支えることができるようにしている。
【００４３】
図２の使用状態図で、この変形防止具５の作用効果について説明する。
【００４４】
変形防止具５を配線ボックス用カバーＫに取り付ける場合には、図２に示すように、その取着部１がカバーＫの器具取付部ＫＡの背面に当接し、また、その当接部２が一対の器具取付部ＫＡに挟まれるようにして、その支持部３が壁面側となるようにする。
【００４５】
その後、取着部１と器具取付部ＫＡの背面との当接状態を維持したまま、器具取付部ＫＡの取付孔ＫＢにビスＢをネジ込む。すると、このビスＢは、取付孔ＫＢにもともと組み込んである雌ネジＫＣにネジ係合した後、取着部１の雌ネジ部１ａにネジ係合する。
【００４６】
ビスＢは、そのネジ頭が、器具取付部ＫＡの取付孔ＫＢに十分陥没し、そのネジ頭の器具取付部ＫＡから壁側への飛び出しがない状態までネジ込まれる。このねじ込みの間、変形防止具５は、その支持状態を維持し、最終的に図２に示した状態となる。
【００４７】
この状態では、変更防止具５による配線ボックス用カバーＫの器具取付部ＫＡの変形防止機能が発揮維持され、これは意図的にこの変形防止具５を取り外すまで維持される。したがって、コンクリート打設後、コンクリートが固化した後に、変形防止具５を外せば、ここに適切な器具を支障なく取り付けることができる。
【００４８】
この際、この変形防止具５は、最も変形防止の必要な器具取付部ＫＡに取り付けられて、この部分の変形を防止するので、その変形防止機能が直接作用して、有効に機能する。また、器具を取り付ける取付表面側で変形防止をするので、その点でも有効である。
【００４９】
更に、この変形防止具５は、使用後は他の配線ボックス用カバーＫにも用いることができるので、廃棄物を発生させない。
【００５０】
また、変形防止具５の取着作業は、図２を見て解るように、配線ボックス用カバーＫの表面側から行うことができるので、作業が容易である。
【００５１】
なお、取着部１の雌ネジ部１ａがない場合、当接部２の勾配を該表面側に行くほど、一対の当接部２間の距離が大きくなるようにして、当接部２と器具取付部ＫＡとが嵌合するようにしておくと、この当接部２に対応する配線ボックス用カバーＫの器具取付部ＫＡから圧縮力が作用した場合に、変形防止具５を該表面側つまり壁面側へ押す力が発生し、この力は取着部１と器具取付部ＫＡの背面とて受け止められて、変形防止具５が脱落するのを防止することができる。
【実施例２】
【００５２】
図３は、本発明の変形防止具の他例を示すもので、（ａ）はその裏面図、（ｂ）は部分破断の側面図、（ｃ）は正面図、（ｄ）は反対側側面図、（ｅ）は（ｃ）の下方図、図４は、図３の変形防止具の使用状態を示すもので、（ａ）はその変形防止具を設置した部分の要部断面図、（ｂ）は正面図である。
【００５３】
これより、同じ部分には、同じ符号を付して、重複説明を省略する。
【００５４】
この変形防止具５Ａは、図１の変形防止具５と同じ作用効果を生じるものであるが、全体として、その材料が高強度合成樹脂、好適には、ポリ塩化ビニル（ＰＶＣ）を用いている点が異なり、その各部の形状もポリ塩化ビニルで一体成形されるように構成されている点で異なっている。
【００５５】
ただし、同じ数字の部分は同じ作用効果の部分として、その素材の違いに基づく形状等の違いを表すものとして、例えば、図１の取着部１に対して本図では、取着部１Ａなどとしている。
【００５６】
変形防止具５Ａの基本構成は、図１の変形防止具５と同様で、取着部１Ａ、当接部２Ａ、支持部３Ａとなっている。支持部３Ａに設けられた挿通孔３ａ、釘挿入部３ｂも共通している。
【００５７】
相違点のうちで特に注意すべきは、この変形防止具５Ａでは、取着部１Ａには、雌ネジ部１ａではなく、これの組み付け対象である配線ボックス用カバーＫの器具取付部ＫＡに設けられた取付孔ＫＢに係合する係合突起１ｂが備えられている点である。
【００５８】
この変形防止具５Ａを配線ボックス用カバーＫに組み付けて使用する場合には、図４のようになる。
【００５９】
この場合は、変形防止具５Ａの取着部１Ａの係合突起１ｂが配線ボックス用カバーＫの器具取付部ＫＡに設けられた取付孔ＫＢに填まり込んで、両者の係合状態の維持をより確実なものとし、これにより、上記、変形防止具５と同様の効果を発揮している。
【００６０】
また、この変形防止具５Ａの場合も、当接部２Ａの勾配を取着部１Ａから支持部３Ａの方向に当接する器具取付部ＫＡにより近づくような勾配、つまり、当接部２Ａと器具取付部ＫＡとが嵌合するようにしておくと、この当接部２Ａに対応する配線ボックス用カバーＫの器具取付部ＫＡから圧縮力が作用した場合に、変形防止具５Ａを該表面側つまり壁面側へ押す力が発生し、この力は取着部１と器具取付部ＫＡの背面とて受け止められて、変形防止具５Ａが脱落するのを防止することができる。
【実施例３】
【００６１】
図５は、本発明の変形防止具の他例を示すもので、（ａ）はその正面図、（ｂ）は平面図、（ｃ）は使用状態の要部断面図、（ｄ）は使用状態の正面図である。
【００６２】
この変形防止具５Ｂは、図１〜４で説明した変形防止具５、５Ａと比べると、取着部１Ｂが器具取付部ＫＡの表面側に当接し、配線ボックス用カバーＫの使用に支障のない厚さであって該器具取付部ＫＡへの取着に用いられるものとされ、支持部３Ｂは、該器具取付部ＫＡの表面側対面部分に当接する当接部２Ｂと、取着部１Ｂを連結し、コンクリート打設の圧縮力を支えるものとなっている点が異なっている。
【００６３】
取着部１Ｂの板厚は、器具取付部ＫＡの表面側への出っ張りとなるもので、その厚さは、配線ボックス用カバーＫなどの使用に支障がなく、支持部３Ｂとの連結の強度を有する程度、具体的には、０．２ミリから０．５ミリ程度が好適である。
【００６４】
取着部１Ｂには、器具取付部ＫＡに挿通されるビスＢが挿通されるビス孔１ｃが備えられている。
【００６５】
当接部２Ｂは支持部３Ｂの両端側面部として構成され、図示するように、それが当接する器具取付部ＫＡの表面形状に対応した形状としておくと、よりよい当接状態、嵌合状態が形成される。
【００６６】
支持部３Ｂの板厚は、器具取付部ＫＡ間に嵌め込まれて、コンクリート打設の圧縮力に耐え得るものであればよいが、具体的には、２ミリから５ミリ程度で十分である。
【００６７】
支持部３Ｂに設けられた挿通孔３ａ、釘挿入部３ｂは、変形防止具５、５Ａのものと共通している。
【００６８】
この変形防止具５Ｂを使用する場合には、図５（ｃ）、（ｄ）に示すように、その当接部２Ｂが器具取付部ＫＡに嵌まり込むように、配線ボックス用カバーＫの表面側（壁側）から、その取着部１Ｂ（の裏側）を器具取付部ＫＡの表面に当接させ、ビス孔１ｃにビスＢを挿通させてネジ止めすればよい。
【００６９】
この変形防止具５Ｂを取着した配線ボックス用カバーＫにコンクリートを打設しても、そのビスＢによる取着により変形防止具５Ｂが脱落することがなく、また、その打設圧縮力が器具取付部ＫＡに作用しても、当接部２Ｂを介して支持する支持部３Ｂにより、特にその表面側で器具取付部ＫＡの変形が防止され、打設固化後に、目的とする器具を取り付ける場合に支障となることがない。
【００７０】
また、この変形防止具５Ｂの場合、その変形防止具５Ｂの配線ボックス用カバーＫへの当接、ビスＢの捩じ込みなどが、カバーＫの表面側だけでできるので便利である。
【００７１】
また、この変形防止具５Ｂの場合も、当接部２Ｂの支持部３Ｂ厚さ方向の勾配を、取着部１Ｂから遠ざかるほど、器具取付部ＫＡに近づくような嵌合状態にしておくと、器具取付部ＫＡに圧縮力が作用した場合、当接部２Ｂが器具取付部ＫＡの奥側へ向かうような分力が発生し、この分力は、取着部１Ｂによって受け止められるので、この当接部２Ｂの形状とも相俟って、打設の振動があっても、変形防止具５Ｂが器具取付部ＫＡから外れないという効果を生じる。
【００７２】
したがって、この場合には、取着部１Ｂのビス孔１ｃは用いなくともよいこととなる。
【産業上の利用可能性】
【００７３】
本発明の変形防止具は、コンクリート壁に埋設されて使用される配線ボックス用カバーあるいは配線ボックスなど、コンクリート打設による変形防止が要請される電気工事器具などに用いることができる。
【図面の簡単な説明】
【００７４】
【図１】本発明の変形防止具の一例を示すもので、（ａ）はその正面図、（ｂ）は側面図
【図２】図１の変形防止具の使用状態を示すもので、（ａ）はその変形防止具を設置した部分の要部断面図、（ｂ）は正面図
【図３】本発明の変形防止具の他例を示すもので、（ａ）はその裏面図、（ｂ）は部分破断の側面図、（ｃ）は正面図、（ｄ）は反対側側面図、（ｅ）は（ｃ）の下方図
【図４】図３の変形防止具の使用状態を示すもので、（ａ）はその変形防止具を設置した部分の要部断面図、（ｂ）は正面図
【図５】本発明の変形防止具の他例を示すもので、（ａ）はその正面図、（ｂ）は平面図、（ｃ）は使用状態の要部断面図、（ｄ）は使用状態の正面図
【図６】従来の変形防止を考慮した配線ボックス用カバーを示すもので、（ａ）はその正面図、（ｂ）は（ａ）のＹＹ断面図
【符号の説明】
【００７５】
１、１Ａ、１Ｂ      取着部
１ａ          雌ネジ部
１ｂ          係合突起
１ｃ          ビス孔
２、２Ａ、２Ｂ      当接部
３、３Ａ、３Ｂ      支持部
３ａ          挿通孔
３ｂ          釘挿入部
５、５Ａ、５Ｂ      変形防止具
Ｋ            配線ボックス用カバー
ＫＡ          器具取付部
ＫＢ          取付孔
【図１】
2006320097.tif 000003
【図２】
2006320097.tif 000004
【図３】
2006320097.tif 000005
【図４】
2006320097.tif 000006
【図５】
2006320097.tif 000007
【図６】
2006320097.tif 000008
【手続補正書】
【提出日】平成17年5月13日(2005.5.13)
【手続補正１】
【補正対象書類名】図面
【補正対象項目名】図６
【補正方法】変更
【補正の内容】
【図６】
2006320097.tif 000009